【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
相互に接続可能な情報処理装置と携帯端末装置とを備えた文字入力システムであって、
前記情報処理装置は、
タッチパネルを有し、少なくとも文字を入力するための文字入力エリアを表示する表示手段と、
前記携帯端末装置と接続された状態で、携帯端末装置に搭載された複数の文字キー有する文字入力ツールの画像を前記携帯端末装置に要求する要求手段と、
前記携帯端末装置から前記文字入力ツールの画像を受信する受信手段と、
前記受信手段により受信した前記文字入力ツールの画像を、前記文字入力エリアと共に前記表示手段に表示させる表示制御手段と、
前記表示手段に表示された前記文字入力ツールの文字キーが、ユーザーによりタッチ操作されたときは、タッチキー情報を前記携帯端末装置に送信する送信手段と、
を備え、
前記携帯端末装置は、
自装置に搭載された前記文字入力ツールの画像を取得する画像取得手段と、
前記画像取得手段により取得された文字入力ツールの画像を、前記情報処理装置に送信する送信手段と、
前記情報処理装置から前記タッチキー情報を受信する受信手段と、
前記受信手段により受信された前記タッチキー情報に基づいて、タッチされた文字キーに対応する文字を特定する文字特定手段と、
を備え、
前記携帯端末装置の前記画像取得手段は、文字入力ツールの画面状態が変化するたびにまたは前記タッチキー情報を受信するたびに、前記文字入力ツールの画像を取得し、前記送信手段は、取得された画像を前記情報処理装置に送信するとともに、前記文字特定手段により文字が特定されたときは、該文字を示す文字情報を前記情報処理装置に送信し、
前記情報処理装置の表示制御手段は、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする文字入力システム。
【請求項２】
前記携帯端末装置の送信手段は、前記文字情報を前記文字入力ツールの画像と同時に前記情報処理装置に送信する請求項１に記載の文字入力システム。
【請求項３】
前記携帯端末装置は前記文字入力ツールの画像を圧縮する圧縮手段を備え、前記送信手段は、前記圧縮前の文字入力ツールの画像のサイズと圧縮された文字入力ツールの画像を前記情報処理装置に送信し、
前記情報処理装置の表示制御手段は、前記圧縮された文字入力ツールの画像を伸張するとともに、前記表示手段の画面サイズに適した大きさに拡大して表示する請求項１または２に記載の文字入力システム。
【請求項４】
前記情報処理装置は、前記タッチキー情報を前記文字入力ツールの画像の拡大比率に応じて補正するとともに、前記送信手段は補正後のタッチキー情報を前記携帯端末装置に送信する請求項３に記載の文字入力システム。
【請求項５】
前記携帯端末装置は、文字入力ツールの画面状態が変化したときに変化した領域を特定する領域特定手段と、前記特定された領域のみを前記文字入力ツールの画像から切り出す切り出し手段を備え、前記送信手段は、前記切り出された領域の画像を該領域を示す領域情報とともに情報処理装置に送信し、
前記情報処理装置の表示制御手段は、前記携帯端末装置から受信した前記切り出された領域の画像を、現在表示されている文字入力ツールの画像の前記領域情報で示される領域に合成して表示する請求項１〜４のいずれかに記載の文字入力システム。
【請求項６】
前記携帯端末装置は、前記文字入力ツールに対応可能か否かを前記情報処理装置に問い合わせる問い合わせ手段を備え、
前記情報処理装置は、前記携帯端末装置からの問い合わせに応じて、文字入力ツールに対応可能か否かを判定する判定手段を備え、
前記携帯端末装置は、前記情報処理装置の判定手段により、文字入力ツールに対応不可能と判定された場合に、自装置に搭載されている文字入力ツールの中から、情報処理装置での対応が可能となる文字入力ツールに切り替えて、その文字入力ツールの画像を前記情報処理装置に送信する請求項１〜５のいずれかに記載の文字入力システム。
【請求項７】
前記携帯端末装置は、前記文字特定手段により特定された文字キーがタッチされたときの入力音を抑制する抑制手段を備え、前記情報処理装置は、前記文字情報で示される文字に対応するキーに応じた反応音を発生させる音発生手段を備えている請求項１〜６のいずれかに記載の文字入力システム。
【請求項８】
前記携帯端末装置は、使用される文字入力ツールの種類を前記情報処理装置に通知し、前記情報処理装置の表示制御手段は、前記携帯端末装置との接続が切断された場合に、前記通知された文字入力ツールの種類に対応する自装置の文字入力ツールを表示する請求項１〜７のいずれかに記載の文字入力システム。
【請求項９】
相互に接続可能な情報処理装置と携帯端末装置とを備えた文字入力システムで実行される文字入力方法であって、
前記情報処理装置は、
少なくとも文字を入力するための文字入力エリアをタッチパネルを有する表示手段に表示するステップと、
前記携帯端末装置と接続された状態で、携帯端末装置に搭載された複数の文字キー有する文字入力ツールの画像を前記携帯端末装置に要求する要求ステップと、
前記携帯端末装置から前記文字入力ツールの画像を受信する受信ステップと、
前記受信ステップにより受信した前記文字入力ツールの画像を、前記文字入力エリアと共に前記表示手段に表示させる表示制御ステップと、
前記表示手段に表示された前記文字入力ツールの文字キーが、ユーザーによりタッチ操作されたときは、タッチキー情報を前記携帯端末装置に送信する送信ステップと、
を実行し、
前記携帯端末装置は、
自装置に搭載された前記文字入力ツールの画像を取得する画像取得ステップと、
前記画像取得ステップにより取得された文字入力ツールの画像を、前記情報処理装置に送信する送信ステップと、
前記情報処理装置から前記タッチキー情報を受信する受信ステップと、
前記受信ステップにより受信された前記タッチキー情報に基づいて、タッチされた文字キーに対応する文字を特定する文字特定ステップと、
を実行し、
前記携帯端末装置の前記画像取得ステップでは、文字入力ツールの画面状態が変化するたびにまたは前記タッチキー情報を受信するたびに、前記文字入力ツールの画像を取得し、前記送信ステップでは、取得された画像を前記情報処理装置に送信するとともに、前記文字特定ステップにより文字が特定されたときは、該文字を示す文字情報を前記情報処理装置に送信し、
前記情報処理装置の表示制御ステップでは、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする文字入力方法。
【請求項１０】
携帯端末装置と接続するための接続手段と、
タッチパネルを有し、少なくとも文字を入力するための文字入力エリアを表示する表示手段と、
前記携帯端末装置と接続された状態で、携帯端末装置に搭載された複数の文字キー有する文字入力ツールの画像を前記携帯端末装置に要求する要求手段と、
前記携帯端末装置から前記文字入力ツールの画像を受信する受信手段と、
前記受信手段により受信した前記文字入力ツールの画像を、前記文字入力エリアと共に前記表示手段に表示させる表示制御手段と、
前記表示手段に表示された前記文字入力ツールの画像の文字キーが、ユーザーによりタッチ操作されたときは、タッチキー情報を前記携帯端末装置に送信する送信手段と、
を備え、
前記受信手段は、文字入力ツールの画面状態が変化するたびにまたは前記タッチキー情報を受信するたびに前記携帯端末装置により取得された前記文字入力ツールの画像を、前記携帯端末装置から受信するとともに、前記携帯端末装置により前記タッチキー情報に基づいて特定された、タッチされた文字キーに対応する文字を示す文字情報を、前記携帯端末装置から受信し、
前記表示制御手段は、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする情報処理装置。
【請求項１１】
前記受信手段は、圧縮前の文字入力ツールの画像のサイズと圧縮された文字入力ツールの画像を、前記携帯端末装置から受信し、
前記表示制御手段は、前記圧縮された文字入力ツールの画像を伸張するとともに、前記表示手段の画面サイズに適した大きさに拡大して表示する請求項１０に記載の情報処理装置。
【請求項１２】
前記タッチキー情報を前記文字入力ツールの画像の拡大比率に応じて補正するとともに、前記送信手段は補正後のタッチキー情報を前記携帯端末装置に送信する請求項１０または１１に記載の情報処理装置。
【請求項１３】
前記受信手段は、前記携帯端末装置により前記文字入力ツールの画像から切り出された、文字入力ツールの画面状態が変化した領域の画像を該領域を示す領域情報とともに受信し、
前記表示制御手段は、前記受信した前記切り出された領域の画像を、現在表示されている文字入力ツールの画像の前記領域情報で示される領域に合成して表示する請求項１０〜１２のいずれかに記載の情報処理装置。
【請求項１４】
前記携帯端末装置からの問い合わせに応じて、文字入力ツールに対応可能か否かを判定する判定手段を備え、前記送信手段は、前記判定手段による判定結果を前記携帯端末装置に送信する請求項１０〜１３のいずれかに記載の情報処理装置。
【請求項１５】
前記携帯端末装置における文字キーがタッチされたときは、前記文字情報で示される文字に対応するキーに応じた反応音を発生させる音発生手段を備えている請求項１０〜１４のいずれかに記載の情報処理装置。
【請求項１６】
前記携帯端末装置との接続が切断された場合、前記表示制御手段は、前記携帯端末装置から通知され携帯端末装置で使用される文字入力ツールの種類に対応する情報処理装置の文字入力ツールを表示する請求項１０〜１５のいずれかに記載の情報処理装置。
【請求項１７】
情報処理装置と接続するための接続手段と、
前記情報処理装置と接続された状態で、前記情報処理装置からの要求に基づいて、自装置に搭載された複数の文字キーを有する文字入力ツールの画像を取得する画像取得手段と、
前記画像取得手段により取得された文字入力ツールの画像を前記情報処理装置に送信する送信手段と、
前記送信手段により前記情報処理装置に送信され、文字入力エリアと共に情報処理装置の表示手段に表示された前記文字入力ツールの文字キーが、ユーザーによりタッチ操作されたときに情報処理装置から送信されるタッチキー情報を受信する受信手段と、
前記受信手段により受信された前記タッチキー情報に基づいて、タッチされた文字キーに対応する文字を特定する文字特定手段と、
を備え、
前記画像取得手段は、文字入力ツールの画面状態が変化するたびにまたは前記タッチキー情報を受信するたびに、前記文字入力ツールの画像を取得し、前記送信手段は、取得された文字入力ツールの画像を前記情報処理装置に送信するとともに、前記文字特定手段により文字が特定されたときは、該文字を示す文字情報を前記情報処理装置に送信することを特徴とする携帯端末装置。
【請求項１８】
前記送信手段は、前記文字情報を前記文字入力ツールの画像と同時に前記情報処理装置に送信する請求項１７に記載の携帯端末装置。
【請求項１９】
前記文字入力ツールの画像を圧縮する圧縮手段を備え、前記送信手段は、前記圧縮手段による圧縮前の文字入力ツールの画像のサイズと圧縮された文字入力ツールの画像を前記情報処理装置に送信する請求項１７または１８に記載の携帯端末装置。
【請求項２０】
文字入力ツールの画面状態が変化したときに変化した領域を特定する領域特定手段と、前記特定された領域のみを前記文字入力ツールの画像から切り出す切り出し手段を備え、前記送信手段は、前記切り出された領域の画像を該領域を示す領域情報とともに情報処理装置に送信する請求項１７〜１９のいずれかに記載の携帯端末装置。
【請求項２１】
前記文字入力ツールに対応可能か否かを前記情報処理装置に問い合わせる問い合わせ手段を備え、
前記問い合わせ手段による問い合わせに応じて、前記情報処理装置により文字入力ツールに対応不可能と判定された場合に、自装置に搭載されている文字入力ツールの中から、情報処理装置での対応が可能となる文字入力ツールに切り替えて、その文字入力ツールの画像を前記情報処理装置に送信する請求項１７〜２０のいずれかに記載の携帯端末装置。
【請求項２２】
前記文字特定手段により特定された文字キーがタッチされたときの入力音を抑制する抑制手段を備えている請求項１７〜２１のいずれかに記載の携帯端末装置。
【請求項２３】
使用される文字入力ツールの種類を前記情報処理装置に通知する請求項１７〜２２のいずれかに記載の携帯端末装置。
【請求項２４】
携帯端末装置と接続する接続ステップと、
少なくとも文字を入力するための文字入力エリアを、タッチパネルを有する表示手段に表示するステップと、
前記携帯端末装置と接続された状態で、携帯端末装置に搭載された複数の文字キー有する文字入力ツールの画像を前記携帯端末装置に要求する要求ステップと、
前記携帯端末装置から前記文字入力ツールの画像を受信する受信ステップと、
前記受信ステップにより受信した前記文字入力ツールの画像を、前記文字入力エリアと共に前記表示手段に表示させる表示制御ステップと、
前記表示手段に表示された前記文字入力ツールの画像の文字キーが、ユーザーによりタッチ操作されたときは、タッチキー情報を前記携帯端末装置に送信する送信ステップと、
を情報処理装置のコンピュータに実行させ、
前記受信ステップでは、文字入力ツールの画面状態が変化するたびにまたは前記タッチキー情報を受信するたびに前記携帯端末装置により取得された文字入力ツールの画像を、前記携帯端末装置から受信するとともに、前記携帯端末装置により前記タッチキー情報に基づいて特定された、タッチされた文字キーに対応する文字を示す文字情報を、前記携帯端末装置から受信し、
前記表示制御ステップでは、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに表示する処理を、前記コンピュータに実行させるための文字入力プログラム。
【請求項２５】
情報処理装置と接続するための接続ステップと、
前記情報処理装置と接続された状態で、前記情報処理装置からの要求に基づいて、自装置に搭載された複数の文字キーを有する文字入力ツールの画像を取得する画像取得ステップと、
前記画像取得ステップにより取得された文字入力ツールの画像を前記情報処理装置に送信する送信ステップと、
前記送信ステップにより前記情報処理装置に送信され、文字入力エリアと共に情報処理装置の表示手段に表示された前記文字入力ツールの画像の文字キーが、ユーザーによりタッチ操作されたときに情報処理装置から送信されるタッチキー情報を受信する受信ステップと、
前記受信ステップにより受信された前記タッチキー情報に基づいて、タッチされた文字キーに対応する文字を特定する文字特定ステップと、
を携帯端末装置のコンピュータに実行させ、
前記画像取得ステップでは、文字入力ツールの画面状態が変化するたびにまたは前記タッチキー情報を受信するたびに、前記文字入力ツールの画像を取得し、前記送信ステップでは、取得された文字入力ツールの画像を前記情報処理装置に送信するとともに、前記文字特定ステップにより文字が特定されたときは、該文字を示す文字情報を前記情報処理装置に送信する処理を、前記コンピュータに実行させるための文字入力プログラム。
【手続補正２】
【補正対象書類名】明細書
【補正対象項目名】００１６
【補正方法】変更
【補正の内容】
【００１６】
上記課題は、以下の手段によって解決される。
（１）相互に接続可能な情報処理装置と携帯端末装置とを備えた文字入力システムであって、前記情報処理装置は、タッチパネルを有し、少なくとも文字を入力するための文字入力エリアを表示する表示手段と、前記携帯端末装置と接続された状態で、携帯端末装置に搭載された複数の文字キー有する文字入力ツールの画像を前記携帯端末装置に要求する要求手段と、前記携帯端末装置から前記文字入力ツールの画像を受信する受信手段と、前記受信手段により受信した前記文字入力ツールの画像を、前記文字入力エリアと共に前記表示手段に表示させる表示制御手段と、前記表示手段に表示された前記文字入力ツールの文字キーが、ユーザーによりタッチ操作されたときは、タッチキー情報を前記携帯端末装置に送信する送信手段と、を備え、前記携帯端末装置は、自装置に搭載された前記文字入力ツールの画像を取得する画像取得手段と、前記画像取得手段により取得された文字入力ツールの画像を、前記情報処理装置に送信する送信手段と、前記情報処理装置から前記タッチキー情報を受信する受信手段と、前記受信手段により受信された前記タッチキー情報に基づいて、タッチされた文字キーに対応する文字を特定する文字特定手段と、を備え、前記携帯端末装置の前記画像取得手段は、文字入力ツールの画面状態が変化するたびにまたは前記タッチキー情報を受信するたびに、前記文字入力ツールの画像を取得し、前記送信手段は、取得された画像を前記情報処理装置に送信するとともに、前記文字特定手段により文字が特定されたときは、該文字を示す文字情報を前記情報処理装置に送信し、前記情報処理装置の表示制御手段は、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする文字入力システム。
（２）前記携帯端末装置の送信手段は、前記文字情報を前記文字入力ツールの画像と同時に前記情報処理装置に送信する前項１に記載の文字入力システム。
（３）前記携帯端末装置は前記文字入力ツールの画像を圧縮する圧縮手段を備え、前記送信手段は、前記圧縮前の文字入力ツールの画像のサイズと圧縮された文字入力ツールの画像を前記情報処理装置に送信し、前記情報処理装置の表示制御手段は、前記圧縮された文字入力ツールの画像を伸張するとともに、前記表示手段の画面サイズに適した大きさに拡大して表示する前項１または２に記載の文字入力システム。
（４）前記情報処理装置は、前記タッチキー情報を前記文字入力ツールの画像の拡大比率に応じて補正するとともに、前記送信手段は補正後のタッチキー情報を前記携帯端末装置に送信する前項３に記載の文字入力システム。
（５）前記携帯端末装置は、文字入力ツールの画面状態が変化したときに変化した領域を特定する領域特定手段と、前記特定された領域のみを前記文字入力ツールの画像から切り出す切り出し手段を備え、前記送信手段は、前記切り出された領域の画像を該領域を示す領域情報とともに情報処理装置に送信し、前記情報処理装置の表示制御手段は、前記携帯端末装置から受信した前記切り出された領域の画像を、現在表示されている文字入力ツールの画像の前記領域情報で示される領域に合成して表示する前項１〜４のいずれかに記載の文字入力システム。
（６）前記携帯端末装置は、前記文字入力ツールに対応可能か否かを前記情報処理装置に問い合わせる問い合わせ手段を備え、前記情報処理装置は、前記携帯端末装置からの問い合わせに応じて、文字入力ツールに対応可能か否かを判定する判定手段を備え、前記携帯端末装置は、前記情報処理装置の判定手段により、文字入力ツールに対応不可能と判定された場合に、自装置に搭載されている文字入力ツールの中から、情報処理装置での対応が可能となる文字入力ツールに切り替えて、その文字入力ツールの画像を前記情報処理装置に送信する前項１〜５のいずれかに記載の文字入力システム。
（７）前記携帯端末装置は、前記文字特定手段により特定された文字キーがタッチされたときの入力音を抑制する抑制手段を備え、前記情報処理装置は、前記文字情報で示される文字に対応するキーに応じた反応音を発生させる音発生手段を備えている前項１〜６のいずれかに記載の文字入力システム。
（８）前記携帯端末装置は、使用される文字入力ツールの種類を前記情報処理装置に通知し、前記情報処理装置の表示制御手段は、前記携帯端末装置との接続が切断された場合に、前記通知された文字入力ツールの種類に対応する自装置の文字入力ツールを表示する前項１〜７のいずれかに記載の文字入力システム。
（９）相互に接続可能な情報処理装置と携帯端末装置とを備えた文字入力システムで実行される文字入力方法であって、前記情報処理装置は、少なくとも文字を入力するための文字入力エリアをタッチパネルを有する表示手段に表示するステップと、前記携帯端末装置と接続された状態で、携帯端末装置に搭載された複数の文字キー有する文字入力ツールの画像を前記携帯端末装置に要求する要求ステップと、前記携帯端末装置から前記文字入力ツールの画像を受信する受信ステップと、前記受信ステップにより受信した前記文字入力ツールの画像を、前記文字入力エリアと共に前記表示手段に表示させる表示制御ステップと、前記表示手段に表示された前記文字入力ツールの文字キーが、ユーザーによりタッチ操作されたときは、タッチキー情報を前記携帯端末装置に送信する送信ステップと、を実行し、前記携帯端末装置は、自装置に搭載された前記文字入力ツールの画像を取得する画像取得ステップと、前記画像取得ステップにより取得された文字入力ツールの画像を、前記情報処理装置に送信する送信ステップと、前記情報処理装置から前記タッチキー情報を受信する受信ステップと、前記受信ステップにより受信された前記タッチキー情報に基づいて、タッチされた文字キーに対応する文字を特定する文字特定ステップと、を実行し、前記携帯端末装置の前記画像取得ステップでは、文字入力ツールの画面状態が変化するたびにまたは前記タッチキー情報を受信するたびに、前記文字入力ツールの画像を取得し、前記送信ステップでは、取得された画像を前記情報処理装置に送信するとともに、前記文字特定ステップにより文字が特定されたときは、該文字を示す文字情報を前記情報処理装置に送信し、前記情報処理装置の表示制御ステップでは、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする文字入力方法。
（１０）携帯端末装置と接続するための接続手段と、タッチパネルを有し、少なくとも文字を入力するための文字入力エリアを表示する表示手段と、前記携帯端末装置と接続された状態で、携帯端末装置に搭載された複数の文字キー有する文字入力ツールの画像を前記携帯端末装置に要求する要求手段と、前記携帯端末装置から前記文字入力ツールの画像を受信する受信手段と、前記受信手段により受信した前記文字入力ツールの画像を、前記文字入力エリアと共に前記表示手段に表示させる表示制御手段と、前記表示手段に表示された前記文字入力ツールの画像の文字キーが、ユーザーによりタッチ操作されたときは、タッチキー情報を前記携帯端末装置に送信する送信手段と、を備え、前記受信手段は、文字入力ツールの画面状態が変化するたびにまたは前記タッチキー情報を受信するたびに前記携帯端末装置により取得された前記文字入力ツールの画像を、前記携帯端末装置から受信するとともに、前記携帯端末装置により前記タッチキー情報に基づいて特定された、タッチされた文字キーに対応する文字を示す文字情報を、前記携帯端末装置から受信し、前記表示制御手段は、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに入力表示することを特徴とする情報処理装置。
（１１）前記受信手段は、圧縮前の文字入力ツールの画像のサイズと圧縮された文字入力ツールの画像を、前記携帯端末装置から受信し、前記表示制御手段は、前記圧縮された文字入力ツールの画像を伸張するとともに、前記表示手段の画面サイズに適した大きさに拡大して表示する前項１０に記載の情報処理装置。
（１２）前記タッチキー情報を前記文字入力ツールの画像の拡大比率に応じて補正するとともに、前記送信手段は補正後のタッチキー情報を前記携帯端末装置に送信する前項１０または１１に記載の情報処理装置。
（１３）前記受信手段は、前記携帯端末装置により前記文字入力ツールの画像から切り出された、文字入力ツールの画面状態が変化した領域の画像を該領域を示す領域情報とともに受信し、前記表示制御手段は、前記受信した前記切り出された領域の画像を、現在表示されている文字入力ツールの画像の前記領域情報で示される領域に合成して表示する前項１０〜１２のいずれかに記載の情報処理装置。
（１４）前記携帯端末装置からの問い合わせに応じて、文字入力ツールに対応可能か否かを判定する判定手段を備え、前記送信手段は、前記判定手段による判定結果を前記携帯端末装置に送信する前項１０〜１３のいずれかに記載の情報処理装置。
（１５）前記携帯端末装置における文字キーがタッチされたときは、前記文字情報で示される文字に対応するキーに応じた反応音を発生させる音発生手段を備えている前項１０〜１４のいずれかに記載の情報処理装置。
（１６）前記携帯端末装置との接続が切断された場合、前記表示制御手段は、前記携帯端末装置から通知され携帯端末装置で使用される文字入力ツールの種類に対応する情報処理装置の文字入力ツールを表示する前項１０〜１５のいずれかに記載の情報処理装置。
（１７）情報処理装置と接続するための接続手段と、前記情報処理装置と接続された状態で、前記情報処理装置からの要求に基づいて、自装置に搭載された複数の文字キーを有する文字入力ツールの画像を取得する画像取得手段と、前記画像取得手段により取得された文字入力ツールの画像を前記情報処理装置に送信する送信手段と、前記送信手段により前記情報処理装置に送信され、文字入力エリアと共に情報処理装置の表示手段に表示された前記文字入力ツールの文字キーが、ユーザーによりタッチ操作されたときに情報処理装置から送信されるタッチキー情報を受信する受信手段と、前記受信手段により受信された前記タッチキー情報に基づいて、タッチされた文字キーに対応する文字を特定する文字特定手段と、を備え、前記画像取得手段は、文字入力ツールの画面状態が変化するたびにまたは前記タッチキー情報を受信するたびに、前記文字入力ツールの画像を取得し、前記送信手段は、取得された文字入力ツールの画像を前記情報処理装置に送信するとともに、前記文字特定手段により文字が特定されたときは、該文字を示す文字情報を前記情報処理装置に送信することを特徴とする携帯端末装置。
（１８）前記送信手段は、前記文字情報を前記文字入力ツールの画像と同時に前記情報処理装置に送信する前項１７に記載の携帯端末装置。
（１９）前記文字入力ツールの画像を圧縮する圧縮手段を備え、前記送信手段は、前記圧縮手段による圧縮前の文字入力ツールの画像のサイズと圧縮された文字入力ツールの画像を前記情報処理装置に送信する前項１７または１８に記載の携帯端末装置。
（２０）文字入力ツールの画面状態が変化したときに変化した領域を特定する領域特定手段と、前記特定された領域のみを前記文字入力ツールの画像から切り出す切り出し手段を備え、前記送信手段は、前記切り出された領域の画像を該領域を示す領域情報とともに情報処理装置に送信する前項１７〜１９のいずれかに記載の携帯端末装置。
（２１）前記文字入力ツールに対応可能か否かを前記情報処理装置に問い合わせる問い合わせ手段を備え、前記問い合わせ手段による問い合わせに応じて、前記情報処理装置により文字入力ツールに対応不可能と判定された場合に、自装置に搭載されている文字入力ツールの中から、情報処理装置での対応が可能となる文字入力ツールに切り替えて、その文字入力ツールの画像を前記情報処理装置に送信する前項１７〜２０のいずれかに記載の携帯端末装置。
（２２）前記文字特定手段により特定された文字キーがタッチされたときの入力音を抑制する抑制手段を備えている前項１７〜２１のいずれかに記載の携帯端末装置。
（２３）使用される文字入力ツールの種類を前記情報処理装置に通知する前項１７〜２２のいずれかに記載の携帯端末装置。
（２４）携帯端末装置と接続する接続ステップと、少なくとも文字を入力するための文字入力エリアを、タッチパネルを有する表示手段に表示するステップと、前記携帯端末装置と接続された状態で、携帯端末装置に搭載された複数の文字キー有する文字入力ツールの画像を前記携帯端末装置に要求する要求ステップと、前記携帯端末装置から前記文字入力ツールの画像を受信する受信ステップと、前記受信ステップにより受信した前記文字入力ツールの画像を、前記文字入力エリアと共に前記表示手段に表示させる表示制御ステップと、前記表示手段に表示された前記文字入力ツールの画像の文字キーが、ユーザーによりタッチ操作されたときは、タッチキー情報を前記携帯端末装置に送信する送信ステップと、を情報処理装置のコンピュータに実行させ、前記受信ステップでは、文字入力ツールの画面状態が変化するたびにまたは前記タッチキー情報を受信するたびに前記携帯端末装置により取得された文字入力ツールの画像を、前記携帯端末装置から受信するとともに、前記携帯端末装置により前記タッチキー情報に基づいて特定された、タッチされた文字キーに対応する文字を示す文字情報を、前記携帯端末装置から受信し、前記表示制御ステップでは、前記携帯端末装置から文字入力ツールの新たな画像を受信したときは、文字入力ツールの画像を更新して表示し、前記携帯端末装置から前記文字情報を受信したときは、前記文字情報で示される文字を前記文字入力エリアに表示する処理を、前記コンピュータに実行させるための文字入力プログラム。
（２５）情報処理装置と接続するための接続ステップと、前記情報処理装置と接続された状態で、前記情報処理装置からの要求に基づいて、自装置に搭載された複数の文字キーを有する文字入力ツールの画像を取得する画像取得ステップと、前記画像取得ステップにより取得された文字入力ツールの画像を前記情報処理装置に送信する送信ステップと、前記送信ステップにより前記情報処理装置に送信され、文字入力エリアと共に情報処理装置の表示手段に表示された前記文字入力ツールの画像の文字キーが、ユーザーによりタッチ操作されたときに情報処理装置から送信されるタッチキー情報を受信する受信ステップと、前記受信ステップにより受信された前記タッチキー情報に基づいて、タッチされた文字キーに対応する文字を特定する文字特定ステップと、を携帯端末装置のコンピュータに実行させ、前記画像取得ステップでは、文字入力ツールの画面状態が変化するたびにまたは前記タッチキー情報を受信するたびに、前記文字入力ツールの画像を取得し、前記送信ステップでは、取得された文字入力ツールの画像を前記情報処理装置に送信するとともに、前記文字特定ステップにより文字が特定されたときは、該文字を示す文字情報を前記情報処理装置に送信する処理を、前記コンピュータに実行させるための文字入力プログラム。
【手続補正３】
【補正対象書類名】明細書
【補正対象項目名】００２９
【補正方法】変更
【補正の内容】
【００２９】
前項（１７）に記載の発明によれば、情報処理装置の文字入力操作のみで文字入力エリアに文字を入力でき、しかも携帯端末装置の文字入力ツールを使用して情報処理装置への文字入力を行うことができる文字入力システムに好適な携帯端末装置となる。
【手続補正４】
【補正対象書類名】明細書
【補正対象項目名】００３０
【補正方法】変更
【補正の内容】
【００３０】
前項（２４）に記載の発明によれば、携帯端末装置の文字入力ツールを使用して情報処理装置への文字入力が行えるようにするための処理を、情報処理装置のコンピュータに実行させることができる。
【手続補正５】
【補正対象書類名】明細書
【補正対象項目名】００３１
【補正方法】変更
【補正の内容】
【００３１】
前項（２５）に記載の発明によれば、携帯端末装置の文字入力ツールを使用して情報処理装置への文字入力が行えるようにするための処理を、携帯端末装置のコンピュータに実行させることができる。